(57)【要約】      （修正有）【課題】電子デバイスに接続するためにホスト内に確保される空間を小さくできる電気コネクタを提供する。【解決手段】電気コネクタは、斜め方向に部分的に移動可能な複数の導電端子と、回路基板に固定される第１ハウジング２０と、斜め方向に部分的に移動可能な複数の導電端子を介して第１ハウジング２０に接続されると共に、対応するコネクタ５０を受容するソケットを有する第２ハウジング３０とを具備する。ソケットが内部に対応するコネクタ５０を受容しない場合は、第２コネクタが、斜め方向に部分的に移動可能な複数の導電端子を介して第１ハウジング２０に対して斜めの角度で配置することができる。ソケットが対応するコネクタ５０を有する電子デバイスと結合する場合は、電子デバイスの重量により、第１ハウジング２０に対して第２ハウジング３０がストッパ部まで下方へ移動する。【選択図】図５Ａ
0003198372.tif 000002
【実用新案登録請求の範囲】
【請求項１】
対応するコネクタが結合されて電子デバイスに電気接続するよう電気コネクタであって、
斜め方向に部分的に移動可能な複数の導電端子と、
回路基板に固定される第１ハウジングと、
前記斜め方向に部分的に移動可能な複数の導電端子を介して前記第１ハウジングに接続されると共に、前記対応するコネクタを受容するソケットを有する第２ハウジングとを具備し、
前記ソケットが内部に前記対応するコネクタを受容しない場合は、前記第２コネクタが、前記斜め方向に部分的に移動可能な複数の導電端子を介して前記第１ハウジングに対して斜めの角度で配置することができ、
前記ソケットが前記対応するコネクタを有する前記電子デバイスと結合する場合は、前記電子デバイスの重量により、前記第１ハウジングに対して前記第２ハウジングがストッパ部まで下方へ移動することを特徴とする電気コネクタ。
【請求項２】
前記第２ハウジングの両側に対で配置される案内ポストをさらに具備することを特徴とする請求項１記載の電気コネクタ。
【請求項３】
前記斜め方向に部分的に移動可能な複数の導電端子は、複数の電源端子及び複数の信号端子を具備し、
前記斜め方向に部分的に移動可能な複数の導電端子の各々は、半田付け部、斜め接続部及び接触部を有し、
前記第１ハウジング及び前記第２ハウジングの双方は、前記斜め方向に部分的に移動可能な複数の導電端子の部分を収容するための案内溝をそれぞれ有することを特徴とする請求項１記載の電気コネクタ。
【請求項４】
前記第１ハウジング及び前記第２ハウジングは、所定距離だけ離間し、前記斜め方向に部分的に移動可能な複数の導電端子を介してのみ互いに接続されることを特徴とする請求項１記載の電気コネクタ。
【請求項５】
前記斜め方向の角度は5°〜25°の範囲であることを特徴とする請求項１記載の電気コネクタ。
【請求項６】
前記ソケットは、少なくともＳＡＴＡ規格、ミニＳＡＴＡ規格、スリムラインＳＡＴＡ規格、マイクロＳＡＴＡ規格又はＳＡＳ規格を満たすことを特徴とする請求項１記載の電気コネクタ。
【請求項７】
前記電子デバイスは、ハウジング、印刷回路基板（ＰＣＢ）及び多数の電子部品を具備するホスト内に配置されることを特徴とする請求項１記載の電気コネクタ。
【請求項８】
前記対応するコネクタは前記電子デバイス上に配置され、
前記電子デバイスはハードドライブであることを特徴とする請求項１又は７記載の電気コネクタ。
【請求項９】
前記ハウジング又は前記ＰＣＢは、ストッパ部であることを特徴とする請求項７記載の電気コネクタ。
【請求項１０】
前記ホストは、ストッパ部として機能を果たすよう前記ハウジング上又は前記ＰＣＢ上に配置されたブラケットをさらに具備することを特徴とする請求項７記載の電気コネクタ。
【考案の詳細な説明】
【技術分野】
【０００１】
本考案は、電気コネクタに関し、特に電子デバイスに接続するためにホスト内に確保される空間を小さくでき、且つ電子デバイスを斜めに結合できる電気コネクタに関する。
【背景技術】
【０００２】
ＡＴＡ（ＡＴ取付け）は、ディスクドライブ用のインタフェース規格である。ＡＴインタフェースは、コンピュータシステムに適用可能であり、主に内部記憶デバイス及び親基板間の伝送インタフェースとして機能を果たす。この規格は、後にパラレルＡＴＡ（ＰＡＴＡ）及びシリアルＡＴＡ（ＳＡＴＡ）に発展した。しかし、ＰＡＴＡインタフェースは、限定された伝送帯域幅を有するのでより高速の処理速度の中央演算ユニット（ＣＰＵ）を用いた最新のアプリケーションには不十分である。ＳＡＴＡインタフェースは、他の利点のうち、より高速の伝送効率を特徴とするので、主にＰＡＴＡに取って代わってきた。
【考案の概要】
【考案が解決しようとする課題】
【０００３】
図１は、従来の一実施形態に係るＳＡＴＡコネクタの構造を示す概略図である。従来のＳＡＴＡコネクタインタフェースの両端は一般に、それぞれハードドライブ８０上及び印刷回路基板（ＰＣＢ）８１上に配置される。この接続方法は一般に、ハードドライブ８０、ＳＡＴＡコネクタインタフェース及びＰＣＢ８１を一方向に直線的に係合させることにより完成する。このような接続方法は、挿入時にハードドライブ８０及び他の部品８４間の衝突を防止するためにハードドライブ８０に或る移動余裕度をもたせるよう、固定された寸法の収容空間８３を要するのが通常である。しかし、ハードドライブの係合に要する直線方向の力は、ユーザが力を加える自然な方向ではないので、ハードドライブの挿抜の効率を低下させてしまう。また、このような係合配置は、追加の固定された寸法の収容空間８３を要し、空間効率が高くない。
【０００４】
図２Ａ及び図２Ｂは、従来の別の実施形態に係るＳＡＴＡコネクタの構造を示す概略図である。ＳＡＴＡコネクタインタフェースの一端はハードドライブ９０上に配置されるのに対し、他端はＰＣＢ９１上に配置される。このようなＳＡＴＡコネクタ及び上述したＳＡＴＡコネクタ間の差異は、ハードドライブ９０上のインタフェースの端部にアダプタ９２が設けられていることにある。ＰＣＢ９１上に配置されたインタフェースの対応する端部は上方を向くよう90°回転しているので、インタフェースの２端は垂直方向９３に沿って係合する。しかし、この係合構造は、追加のアダプタを要するので、実施の観点から現実的ではない。
【０００５】
さらに、台湾特許第Ｉ３１８４８３号明細書は、固定ハウジング、可動ハウジング、導電体コンタクト及び係合部材を具備する電気コネクタを開示する。係合部材は、可動ハウジングが固定ハウジングに任意で固定されるか、対応するコネクタと結合するために固定ハウジングに対して所定の範囲内で移動自在である。しかし、上述した係合部材は、複雑な構造を有し、容易に組み立てることができないので、実施の観点からこれも現実的ではない。
【０００６】
従って、上述した従来技術の欠点を改善し、収容空間を効率的に利用し、ＳＡＴＡコネクタをしっかりと固定することができる電気コネクタに対するニーズが当業界にある。
【課題を解決するための手段】
【０００７】
従来技術における上述した問題に鑑み、本考案の目的は、電子デバイスに接続するためにホスト内に確保される空間を小さくできる電気コネクタを提供することである。また、本考案の電気コネクタの簡単な構造により、容易に組み立てることができると共に電子デバイスを固定することができる。
【０００８】
本考案の別の目的は、電子デバイスが斜めに結合する電気コネクタを設けることである。
【０００９】
本考案の目的によれば、対応するコネクタが結合されて電子デバイスに電気接続する電気コネクタが提供される。この電気コネクタは、斜め方向に部分的に移動可能な複数の導電端子と、回路基板に固定される第１ハウジングと、斜め方向に部分的に移動可能な複数の導電端子を介して第１ハウジングに接続されると共に、対応するコネクタを受容するソケットを有する第２ハウジングとを具備する。ソケットが内部に対応するコネクタを受容しない場合は、斜め方向に部分的に移動可能な複数の導電端子を介して第２コネクタを第１ハウジングに対して斜めの角度で配置することができる。ソケットが対応するコネクタを有する電子デバイスと結合する場合は、電子デバイスの重量により、第１ハウジングに対して第２ハウジングがストッパ部まで下方へ移動する。
【００１０】
好適には、本考案の電気コネクタは、第２ハウジングの両側に対で配置される案内ポストをさらに具備する。
【００１１】
好適には、斜め方向に部分的に移動可能な複数の導電端子は、複数の電源端子及び複数の信号端子を具備する。斜め方向に部分的に移動可能な複数の導電端子の各々は、半田付け部、斜め接続部及び接触部を有する。また、第１ハウジング及び第２ハウジングの双方は、斜め方向に部分的に移動可能な複数の導電端子の部分を収容するための案内溝をそれぞれ有する。
【００１２】
好適には、第１ハウジング及び第２ハウジングは、所定距離だけ離間し、斜め方向に部分的に移動可能な複数の導電端子を介してのみ互いに接続される。
【００１３】
好適には、斜め方向の角度は5°〜25°の範囲である。
【００１４】
好適には、ソケットは、少なくともＳＡＴＡ規格、ミニＳＡＴＡ規格、スリムラインＳＡＴＡ規格、マイクロＳＡＴＡ規格又はＳＡＳ規格を満たす。対応するコネクタは電子デバイス上に配置される。電子デバイスはハードドライブである。
【００１５】
好適には、電子デバイスは、ハウジング、ＰＣＢ及び多数の電子部品を具備するホスト内に配置される。
【００１６】
好適には、ハウジング又はＰＣＢは、ストッパ部であってもよい。
【００１７】
好適には、ホストは、ストッパ部として機能を果たすようハウジング上又はＰＣＢ上に配置されたブラケットをさらに具備する。
【００１８】
本考案の上述した態様及び他の態様は、添付図面を参照して以下の例示的に実施形態からより明確に理解されよう。
【図面の簡単な説明】
【００１９】
【図１】従来の一実施形態に係るＳＡＴＡコネクタの構造を示す概略図である。
【図２Ａ】従来の別の実施形態に係るＳＡＴＡコネクタの構造を示す概略図である。
【図２Ｂ】従来の別の実施形態に係るＳＡＴＡコネクタの構造を示す概略図である。
【図３】本考案の電気コネクタの分解斜視図である。
【図４】本考案の電気コネクタの組立後の斜視図である。
【図５Ａ】初期状態において対応するコネクタと本考案の電気コネクタとの係合を示す概略図である。
【図５Ｂ】操作完了状態において対応するコネクタと本考案の電気コネクタとの係合を示す概略図である。
【図６Ａ】第１実施形態に係る、初期状態においてホストに挿入された本考案の電気コネクタを示す内部の概略図である。
【図６Ｂ】第１実施形態に係る、操作完了状態においてホストに挿入された本考案の電気コネクタを示す内部の概略図である。
【図７】第２実施形態に係る、操作完了状態においてホストに挿入された本考案の電気コネクタを示す内部の概略図である。
【図８】第３実施形態に係る、操作完了状態においてホストに挿入された本考案の電気コネクタを示す内部の概略図である。
【図９】第４実施形態に係る、操作完了状態においてホストに挿入された本考案の電気コネクタを示す内部の概略図である。
【考案を実施するための形態】
【００２０】
本考案は、技術的に特徴、内容、本考案の利点及びそれにより達成される効果の理解を容易にするために、実施形態及び添付図面により説明される。当業者であれば、添付図面は例示であり、実施される考案の実際の寸法及び精確な構造に従って示されるものではないことを理解するであろう。従って、本考案の保護範囲は、寸法及び添付図面に示された構造に基づいて解釈されるべきでないし、それらに限定すべきでない。
【００２１】
図３は、本考案の電気コネクタの分解斜視図である。図３に示されるように、本考案の電気コネクタ１００は、電子デバイス７１（図６Ａも参照されたい）に電気接続するために、対応するコネクタ５０（図５Ａも参照されたい）と結合することができる。電気コネクタ１００は、斜め方向に部分的に移動可能な複数の導電端子１０と、回路基板（ＰＣＢ）４０に固定される第１ハウジング２０と、斜め方向に部分的に移動可能な複数の導電端子１０を介して第１ハウジング２０に接続されると共に、対応するコネクタ５０を受容するソケット３３を有する第２ハウジング３０とを具備する。
【００２２】
続けて図３ないし図５Ａを参照されたい。本考案の電気端子１０の斜め方向に部分的に移動可能な複数の導電端子１０は、複数の電源端子及び複数の信号端子を具備する。斜め方向に部分的に移動可能な複数の導電端子１０の各々は、半田付け部１１、斜め接続部１２及び接触部１３を有する。第１ハウジング２０は、第１案内溝２１及び上面２２を有する。第２ハウジング３０は第２案内溝３１を有する。第１案内溝２１及び第２案内溝３１は、斜め方向に部分的に移動可能な複数の導電端子１０の部分を収容するよう構成されている。斜め方向に部分的に移動可能な複数の導電端子１０の半田付け部１１は、ＰＣＢ４０に固定されるよう構成されている。半田付け部１１を斜め接続部１２に接続する導電端子１０の部分は、第１ハウジング２０の第１案内溝２１内で且つ上面２２に位置する。特に、斜め方向に部分的に移動可能な複数の導電端子１０の半田付け部１１及び斜め接続部１２の部品は斜め角度で配置され、斜め接続部１２及び接触部１３間の複数の導電端子１０の部分は第２ハウジング３０の第２案内溝３１内に配置される。従って、斜め方向に部分的に移動可能な複数の導電端子１０の斜め接続部１２により、第２ハウジング３０及び第１ハウジング２０が斜め角度で配置し、所定距離だけ離間することができる。
【００２３】
図４及び図５Ａを参照すると、本考案の電気コネクタ１００は、電気コネクタ１００の第２ハウジング３０の両側に配置できる案内ポスト３２をさらに具備し、対応するコネクタ５０を案内して本考案の電気コネクタ１００に結合する。好適には、本考案の電気コネクタ１００のソケット３３は、少なくともＳＡＴＡ規格、ミニＳＡＴＡ規格、スリムラインＳＡＴＡ規格、マイクロＳＡＴＡ規格又はＳＡＳ規格を満たす。
【００２４】
図５Ａ及び図５Ｂは、それぞれ初期状態及び操作完了状態において対応するコネクタと本考案の電気コネクタとの係合を示す概略図である。図５Ａ及び図５Ｂに示されるように、ソケット３３が対応するコネクタ５０を内部に受容しない場合、第２ハウジング３０は、斜め方向に部分的に移動可能な複数の導電端子１０を介して第１ハウジング２０に対して斜め角度で配置可能である。対応するコネクタ５０を有する電子デバイス７１（図６Ａも参照されたい）にソケット３３が結合する場合、対応するコネクタ５０は、ソケット３３と斜めに整合することができ、次に、電気コネクタ１００内に斜めに挿入される。さらに、電子デバイス７１の重量により、第１ハウジング２０に対して第２ハウジング３０が下方へ移動する。従って、本考案の電気コネクタ１００の目的が達成可能である。
【００２５】
図６Ａ及び図６Ｂは、第１実施形態に係る、それぞれ初期状態及び操作完了状態においてホストに挿入された本考案の電気コネクタを示す内部の概略図である。図６Ａ及び図６Ｂに示されるように、ホスト７は、本考案の電気コネクタ１００、ハウジング７０、電子デバイス７１、ＰＣＢ７２及び電子部品７３を具備する。本考案の電気コネクタ１００の第１ハウジング２０はＰＣＢ７２に固定され、第２ハウジング３０は第１ハウジング２０に対して斜め角度で配置される。斜め角度は5°〜25°の範囲である。また、ハウジング７０はブラケット８を具備する。本実施形態において、電子デバイス７１は、対応するコネクタ５０に接続可能なハードドライブである。電子デバイス７１がＰＣＢ７２上の本考案の電気コネクタ１００と結合する場合、電子デバイス７１は、対応するコネクタ５０が本考案の電気コネクタ１００の第２ハウジング３０のソケット３３と整合した状態で、斜めに載置される。次に、対応するコネクタ５０は、（図６Ａに示されるように）本考案の電気コネクタ１００に斜めに挿入される。電子デバイス７１の重量により、第１ハウジング２０に対して第２ハウジング３０がハウジング７０のブラケット８まで下方へ移動する。従って、本考案の電気コネクタ１００に関する目的は、（図６Ｂに示されるように）達成可能である。さらに、当業者であれば、ブラケット８はストッパ部として機能を果たすことを理解するであろう。
【００２６】
図７は、第２実施形態に係る、操作完了状態においてホストに挿入された本考案の電気コネクタを示す内部の概略図である。本実施形態の電気コネクタ１００の構造は、図６に示された実施形態とほぼ同じであり、差異は、ブラケット８’がハウジング７０内のＰＣＢ７２上に配置され、この結果、電子デバイス７１の重量により、第１ハウジング２０に対して第２ハウジング３０がＰＣＢ７２上のブラケット８’まで下方へ移動することにある。すなわち、ブラケット８’はストッパ部として機能を果たす。
【００２７】
図８は、第３実施形態に係る、操作完了状態においてホストに挿入された本考案の電気コネクタを示す内部の概略図である。本実施形態の電気コネクタ１００の構造は、図６及び図７に示された実施形態とほぼ同じであり、差異は、この実施形態がブラケット８，８’を必要としないことにある。ソケット３３が対応するコネクタ５０を有する電子デバイス７１と結合すると、電子デバイス７１の重量により、第１ハウジング２０に対して第２ハウジング３０がハウジング７０まで下方へ移動する。すなわち、ハウジング７０はストッパ部として機能を果たす。
【００２８】
図９は、第４実施形態に係る、操作完了状態においてホストに挿入された本考案の電気コネクタを示す内部の概略図である。本実施形態の電気コネクタ１００の構造は、図８に示された実施形態とほぼ同じであり、差異は、ソケット３３が対応するコネクタ５０を有する電子デバイス７１と結合すると、電子デバイス７１の重量により、第１ハウジング２０に対して第２ハウジング３０がＰＣＢ７２まで下方へ移動する。すなわち、ＰＣＢ７２はストッパ部として機能を果たす。
【００２９】
本考案において開示された電気コネクタ用の係合構造によれば、電子デバイスの係合に要する力の方向は、ユーザが力を加える自然な方向であり、電子デバイスの挿抜は容易である。また、この係合構造は、追加の固定された寸法収容空間（例えば、従来のＳＡＴＡコネクタ）を必要としないので、空間効率が高い。
【００３０】
上述したように、本考案の電気コネクタは、以下の一つ以上の利点を有する。
【００３１】
（１）本考案の電気コネクタを有するホストは、係合操作用の追加の固定寸法の収容空間を必要としないので、ホストハウジングの空間利用効率が著しく増大する。
【００３２】
（２）電気コネクタの設計及び構造が簡単なので、追加のアダプタを必要としない。
【００３３】
上述の実施形態は例示であり、本考案の範囲を限定することを意図したものではない。本考案の真髄及び範囲から逸脱することなくなされた、等価の効果を有する任意の変形例又は変更例は、実用新案登録請求の範囲内である。
【符号の説明】
【００３４】
７      ホスト
８      ブラケット
８’    ブラケット
１０    導電端子
１１    半田付け部
１２    斜め接続部
１３    接触部
２０    第１ハウジング
２１    案内溝
３０    第２ハウジング
３１    案内溝
３２    案内ポスト
３３    ソケット
４０    回路基板
５０    対応するコネクタ
７１    電子デバイス
７２    ハウジング
７３    電子部品
１００  電気コネクタ
【図１】
0003198372.tif 000003
【図２Ａ】
0003198372.tif 000004
【図２Ｂ】
0003198372.tif 000005
【図３】
0003198372.tif 000006
【図４】
0003198372.tif 000007
【図５Ａ】
0003198372.tif 000008
【図５Ｂ】
0003198372.tif 000009
【図６Ａ】
0003198372.tif 000010
【図６Ｂ】
0003198372.tif 000011
【図７】
0003198372.tif 000012
【図８】
0003198372.tif 000013
【図９】
0003198372.tif 000014
【手続補正書】
【提出日】平成27年4月20日(2015.4.20)
【手続補正１】
【補正対象書類名】実用新案登録請求の範囲
【補正対象項目名】請求項１
【補正方法】変更
【補正の内容】
【請求項１】
対応するコネクタが結合されて電子デバイスに電気接続する電気コネクタであって、
斜め方向に部分的に移動可能な複数の導電端子と、
回路基板に固定される第１ハウジングと、
前記斜め方向に部分的に移動可能な複数の導電端子を介して前記第１ハウジングに接続されると共に、前記対応するコネクタを受容するソケットを有する第２ハウジングとを具備し、
前記ソケットが内部に前記対応するコネクタを受容しない場合は、前記第２ハウジングが、前記斜め方向に部分的に移動可能な複数の導電端子を介して前記第１ハウジングに対して斜めの角度で配置することができ、
前記ソケットが前記対応するコネクタを有する前記電子デバイスと結合する場合は、前記電子デバイスの重量により、前記第１ハウジングに対して前記第２ハウジングがストッパ部まで下方へ移動することを特徴とする電気コネクタ。